(57)【要約】 【課題】  アルファベットの小文字を学習していない小学生等のプログラミング学習に好適な、キーボードのキー貼付用シール及びキーボードのキー貼付用シールが印刷された印刷物を提供する。【解決手段】  キーボードのキー貼付用シールの上面に、キーを打鍵することによって入力されるアルファベット文字を大文字及び小文字で表記した、キーボードのキー貼付用シール及びキーボードのキー貼付用シールが印刷された印刷物である。各々のシールを対応するキーの上面に貼付することによって、アルファベットの小文字を学習していない小学生等であっても、学習済みの大文字の表記を参考にしながら、小文字でプログラミングするためのキー入力を容易に行うことが可能となる。大文字はシール表面の左側中央部に表記することが好ましく、各々のアルファベットの読みもひらがな又はカタカナで表記することが好ましい。【選択図】        図１
0003221070.tif 000002
【実用新案登録請求の範囲】
【請求項１】
キーボードのキーの上面に貼付可能なキーボードのキー貼付用シールであって、
シールの表面には、キーを打鍵することによって入力されるアルファベット文字が、大文字及び小文字で表記されていること
を特徴とするキーボードのキー貼付用シール。
【請求項２】
前記アルファベット文字は、前記シールの表面の左側中央部分に配置されていること
を特徴とする請求項１記載のキーボードのキー貼付用シール。
【請求項３】
前記シールの表面には、前記アルファベット文字の読みがひらがな又はカタカナで表記されていること
を特徴とする請求項１又は２記載のキーボードのキー貼付用シール。
【請求項４】
台紙から剥離して各々のキーの上面に貼付可能なキーボードのキー貼付用シールがキーボードのキーの配列に従って印刷された印刷物であって、
アルファベット文字を入力するキーの位置に印刷されたシールの表面には、前記キーを打鍵することによって入力されるアルファベット文字が、大文字及び小文字で表記されていること
を特徴とするキーボードのキー貼付用シールが印刷された印刷物。
【請求項５】
前記アルファベット文字は、前記シールの表面の左側中央部分に配置されていること
を特徴とする請求項４記載のキーボードのキー貼付用シールが印刷された印刷物。
【請求項６】
前記シールの表面には、前記アルファベット文字の読みがひらがな又はカタカナで表記されていること
を特徴とする請求項４又は５記載のキーボードのキー貼付用シールが印刷された印刷物。
【請求項７】
記号を入力するキーの位置に印刷されたシールの表面には、前記記号の名称がひらがな又はカタカナで表記され、
打鍵することによって所定の機能が実行されるキーの位置に印刷され、前記機能が英語で表記されたシールの表面には、前記英語の読みがひらがな又はカタカナで表記されていること
を特徴とする請求項４乃至６いずれかに記載のキーボードのキー貼付用シールが印刷された印刷物。
【考案の詳細な説明】
【技術分野】
【０００１】
本考案は、小学生等のプログラミング学習に好適な、キーボードのキー貼付用シール及びキーボードのキー貼付用シールが印刷された印刷物に関するものである。
【背景技術】
【０００２】
コンピュータの入力用キーボードには、打鍵することによって入力されるアルファベットや記号、あるいは実行される機能を示す英語の文字等が各々のキーの上面に表記されているが、こうしたキーに表記されている文字や記号の視認性向上を目的に、文字や記号の大きさや形状の変更、文字や図形等のシンボルの追加、実行される機能の日本語表記の追加等を行うため、あるいは、キーボードの配列をソフトウェア的に変更した際の物理的なキーとの機能的な一致を維持するために、キーボードのキーの上面や正面傾斜部に貼付するシールに関する発明が開示されている（例えば、特許文献１及び特許文献２参照）。
【０００３】
【特許文献１】特開２００２−３６６２８０号公報
【特許文献２】特開２００４−３４８４４０号公報
【考案の開示】
【考案が解決しようとする課題】
【０００４】
ところで近年、ソサエティ５．０等の未来社会に向けて基礎的なスキルとしてのコンピュータ教育の重要性が強調され、小学生等の年少者に対するプログラミング教育が注目されるようになっており、２０２０年には小学校でプログラミング教育が必修化されることが公表されている。出願人は早くから主に小学生を対象にしたプログラミング教育に取り組んでいるが、小学生に対するプログラミング教育の現場では、プログラミングにおいて必須となるアルファベット文字に対する習熟度が問題となっている。
【０００５】
具体的には、小学生等の年少者の初期の英語学習では、アルファベットを大文字で学習することとなっているため、プログラミングを学ぶ小学生等はアルファベットの小文字を理解できないことが多い。ところが、ＰｙｔｈｏｎやＪａｖａＳｃｒｉｐｔ（登録商標）のようなプログラミングのモダン言語はアルファベットの小文字で記述されるため、小文字を学習していない小学生等は、機能が制限されたＢＡＳＩＣ等のプログラミング言語を使用せざるを得なくなっているのが現状である。ここに、特許文献１及び特許文献２記載の発明の課題である、視認性の向上やキーボードの配置変更に対応する機能維持とは異なる、キーボードの操作性に関する本考案に固有の課題が生じることになる。
【０００６】
また、後に説明する本考案に係るキーボードのキー貼付用シールを、キーボードを使用するユーザがキーボードに貼り付ける作業を行う際には、どのシールをどのキーに貼付するかを判断しなければならないが、アルファベットの小文字を理解していない小学生等がユーザである場合には、シールとキーの対応関係を把握するのが容易ではなく、その作業負担を軽減できる仕組みも求められるところである。
【０００７】
本考案は、このような課題を解決するためになされたものであり、アルファベットの小文字を学習していない小学生等のプログラミング学習に好適な、キーボードのキー貼付用シール及びキーボードのキー貼付用シールが印刷された印刷物を提供することを目的とするものである。
【課題を解決するための手段】
【０００８】
本願に係る課題を解決するキーボードのキー貼付用シールに関する考案は、キーボードのキーの上面に貼付可能なキーボードのキー貼付用シールであって、シールの表面には、キーを打鍵することによって入力されるアルファベット文字が、大文字及び小文字で表記されていることを特徴とするキーボードのキー貼付用シールである。
【０００９】
本考案では、キーボードのキー貼付用シールの上面に、キーを打鍵することによって入力されるアルファベット文字を大文字及び小文字で表記し、これを対応するキーの上面に貼付することによって、アルファベットの小文字を学習していない小学生等であっても、学習済みの大文字の表記を参考にしながら、小文字でプログラミングするためのキー入力を容易に行うことが可能となっている。
【００１０】
また、本考案に係るキーボードのキー貼付用シールの好ましい形態では、前記アルファベット文字は、前記シールの表面の左側中央部分に配置されていることを特徴とすることもできる。
【００１１】
一般的なキーボードでは、アルファベット文字を入力するキー上面の左側中央部に、対応するアルファベットが大文字で表記されているため、シールの表面にも同様にアルファベットの大文字を配置すると、一般的なキーボードと同様の操作性を維持しながら、アルファベットの小文字を学習していない小学生等でも、小文字でプログラミングするためのキー入力を容易に行いやすい構成となる。
【００１２】
さらに、本考案に係るキーボードのキー貼付用シールの好ましい形態では、前記シールの表面には、前記アルファベット文字の読みがひらがな又はカタカナで表記されていることことを特徴としてもよい。
【００１３】
このように構成すると、小学生等のユーザが読みでアルファベットを記憶している場合であっても、その読みに対応するアルファベット文字のキーを容易に把握することができるとともに、キーボードの利用を通じて、アルファベットの読みに対応する小文字の記憶が促進されることになる。
【００１４】
本願に係る課題を解決するキーボードのキー貼付用シールが印刷された印刷物に関する考案は、台紙から剥離して各々のキーの上面に貼付可能なキーボードのキー貼付用シールがキーボードのキーの配列に従って印刷された印刷物であって、アルファベット文字を入力するキーの位置に印刷されたシールの表面には、前記キーを打鍵することによって入力されるアルファベット文字が、大文字及び小文字で表記されていることを特徴とするキーボードのキー貼付用シールが印刷された印刷物である。
【００１５】
本考案に係る印刷物は、先に説明したキーボードのキー貼付用シールによる効果に加えて、キーボードの各々のキーに貼付されるシールが、キーボードのキーの配列に従って台紙から剥離可能な状態で印刷されているため、アルファベットの小文字を学習していない小学生等が各々のキーにシールを貼付する際には、アルファベットの大文字の一致を確認することに加えて、印刷物と同じ位置にあるキーボードのキーにシールを貼付することによって、シールを適切な位置に貼付することが容易になるという効果が生じる。
【００１６】
また、本考案に係るキーボードのキー貼付用シールが印刷された印刷物の好ましい形態では、前述のキーボードのキー貼付用シールに関する考案と同様に、前記アルファベット文字は、前記シールの表面の左側中央部分に配置されていることことを特徴とすることもできる。
【００１７】
さらに、本考案に係るキーボードのキー貼付用シールが印刷された印刷物の好ましい形態では、前述のキーボードのキー貼付用シールに関する考案と同様に、前記シールの表面には、前記アルファベット文字の読みがひらがな又はカタカナで表記されていることを特徴としてもよい。
【００１８】
さらに、本考案に係るキーボードのキー貼付用シールが印刷された印刷物の好ましい形態では、記号を入力するキーの位置に印刷されたシールの表面には、前記記号の名称がひらがな又はカタカナで表記され、打鍵することによって所定の機能が実行されるキーの位置に印刷され、前記機能が英語で表記されたシールの表面には、前記英語の読みがひらがな又はカタカナで表記されていることを特徴としてもよい。
【００１９】
このように構成すると、記号や機能の英語表記を十分に理解できていない小学生等にも、各々のキーの選択を音によっても認識できるようにすることによって、より操作性に優れたキーボードとして利用することが可能になる。
【考案の効果】
【００２０】
本考案によると、アルファベットの小文字を学習していない小学生等であっても、小文字でプログラミングするためのキー入力を容易に行うことができるため、ＰｙｔｈｏｎやＪａｖａＳｃｒｉｐｔ（登録商標）のようなモダン言語を用いたプログラミングが可能になり、小学生等の年少者のプログラミングスキルの向上に資することが期待できる。２０２０年には、小学校でプログラミング教育が必修化されることが公表されているが、本考案は小学校の教育現場において発生し得るニーズにも対応し得るものである。
【図面の簡単な説明】
【００２１】
【図１】本考案に係るキーボードのキー貼付用シールが印刷された印刷物の一例を示す図である。
【図２】本考案に係るキーボードのキー貼付用シールの第１の例を示す図である。
【図３】本考案に係るキーボードのキー貼付用シールの第２の例を示す図である。
【図４】本考案に係る印刷物からキーボードのキー貼付用シールを剥離して、キーに貼付する様子を示す図である。
【考案を実施するための形態】
【００２２】
本考案の実施の形態について、図１−図４を用いて以下に詳細に説明する。尚、以下において説明する実施形態は、本考案に係るキーボードのキー貼付用シール及びキーボードのキー貼付用シールが印刷された印刷物の一例を示したものであって、印刷物全体のデザインや、各々のシール表面における文字の大きさやフォント等は、図１−図４に示した例に限定されるものではない。
【００２３】
図１は、本考案に係るキーボードのキー貼付用シールが印刷された印刷物の一例を示したものである。本考案に係る印刷物は、シール台紙１の表面に、キーボードのキー貼付用シールが剥離可能な状態で、シールを貼付するキーボードと同じ配列で印刷されており、この状態でユーザに提供される。ロゴ等表示部２には、本考案に係る印刷物の製造元や販売者のロゴや商品名等の商標を表示することとすればよいが、こうしたシール台紙１における商標等の表示位置や大きさは、特に限定されるものではない。
【００２４】
各々のキーに貼付するシールのうち、アルファベット文字を入力するキーに貼付するシールについては、図２及び図３の例に示したように、キーを打鍵することによって入力されるアルファベット文字が、大文字及び小文字で表記されている。
【００２５】
図２は、図１に例示した印刷物に印刷されているアルファベット文字「Ａ（ａ）」を入力するキーに貼付するシール部分を拡大したものであるが、キー貼付用シール３の外周には、切取線４が設けられ、切取線４に沿ってシール台紙１から剥離することで、キー貼付用シール３がキーボードの対応するキー（打鍵することによってアルファベット文字「Ａ（ａ）」が入力されるキー）に貼付可能となる。
【００２６】
尚、シール台紙１やキー貼付用シール３の材料には紙や樹脂フィルム等を用いることとすればよいが、その材料や材質は特に限定されるものではない。キー貼付用シール３を剥離した裏面には接着剤層が設けられるが、キーボードのキーに貼付してキーの上面にキー貼付用シール３を固定できるものであれば、接着剤の種類も特に限定されない。
【００２７】
キー貼付用シール３の表面には、キーを打鍵することによって入力されるアルファベット文字を、それぞれ大文字及び小文字で表記した、大文字表示部５と小文字表示部６が少なくとも設けられる。小文字表示部６が設けられることによって、アルファベットの小文字を学習していない小学生等のユーザが、コードがアルファベットの小文字で記載された教材等を用いてプログラミングを行う際にも、小文字表示部６を参照して打鍵するキーを判別することが可能になる。また、大文字表示部５が設けられることで、打鍵した小文字がアルファベットのどの大文字に対応するものかを認識して、アルファベットの小文字を自然に学習することができることに加えて、入力するアルファベット文字が音声で読み上げられた場合には、大文字表示部５に表記されるアルファベットの大文字によって打鍵するキーを判別することも可能である。
【００２８】
大文字表示部５と小文字表示部６がキー貼付用シール３のどの位置に設けられるかについては、特に限定されるものではないが、大文字表示部５については、一般的なキーボードのキーには入力するアルファベットが大文字でキー上面の左側中央部に配置されるのと同様に、キー貼付用シール３の表面の左側中央部に配置することが好ましい。こうした配置にすると、一般的なキーボードと同様の視認性と操作性が維持されて、キー入力が行いやすくなるためである。
【００２９】
また、キー貼付用シール３の表面には、キーを打鍵することによって入力されるアルファベット文字の読みをひらがな又はカタカナで表記した、読み表示部７を設けることが好ましい。アルファベットの小文字を学習していない小学生等のユーザが読みでアルファベットを記憶している場合であっても、読み表示部７が設けられていると、その読みに対応するアルファベット文字のキーを容易に把握することができることに加えて、打鍵したキーの小文字表示部６を参照することで、キーボードの利用を通じて、アルファベットの読みに対応する小文字の記憶が促進されるためである。
【００３０】
尚、図２の例では、キーボードのキーが白色であることを前提に、大文字表示部５を黒地に白抜き文字にすることで、元のキーボードにも表記されている文字とシールによって付加された文字を判別しやすくしているが、キーボードのキーが黒色である場合には、図３の例に示したように、図２の例とは逆に、大文字表示部５を白地にして黒字で大文字を表記し、小文字表示部６と読み表示部７を黒地に白抜き文字とすればよい。
【００３１】
アルファベット文字が表記されたキー以外のキー、すなわち、記号を入力するキーや、打鍵することによって所定の機能が実行され、その機能が英語（「Ｃｏｎｔｒｏｌ」を略した「Ｃｔｒｌ」のように、英単語を略した文字列となっている場合も含む）で表記されているキーに貼付するシールについては、図１の例に示したように、記号を入力するキーに対応するシールの表面には、その記号の名称がひらがな又はカタカナで、所定の機能が実行されるキーに対応するシールの表面には、その機能の英語の読みがひらがな又はカタカナで表記されていることが好ましい。記号や機能の英語表記を十分に理解できていない小学生等のユーザにも、各々のキーの選択を音によっても認識できるようにすることによって、より操作性に優れたキーボードとして利用することが可能になるためである。
【００３２】
図４は、本考案に係る印刷物からキーボードのキー貼付用シールを剥離して、キーに貼付する様子を示している。ユーザは各々のキーに対応するシールを、シール台紙１から剥離して貼付することになるが、シール台紙１におけるキー貼付用シール３の配置を、キー貼付用シール３を貼付するキーボードのキーの配列に従ってシール台紙１に印刷することによって、ユーザがアルファベットの小文字を学習していない小学生等である場合にも、アルファベットの大文字の一致を確認することに加えて、印刷物と同じ位置にあるキーボードのキーにシールを貼付することによって、シールを適切な位置に貼付することが容易になる。
【符号の説明】
【００３３】
１  シール台紙
２  ロゴ等表示部
３  キー貼付用シール
４  切取線
５  大文字表示部
６  小文字表示部
７  読み表示部
【図１】
0003221070.tif 000003
【図２】
0003221070.tif 000004
【図３】
0003221070.tif 000005
【図４】
0003221070.tif 000006